(57)【要約】【課題】一般に市販されている身体移動機は重く大きい為に同居する家族の日常生活の邪魔になり高価格なので家族の経済的に負担になる。【解決手段】小旋回移動装置の半分を天井裏内に位置させて天井裏内の2本の梁に固定する事で高い強度になって邪魔にもならず、さらに残りの半分ちかくも天井下に位置するので家族の生活の邪魔にならない、その天井下から吊り下がる吊り下げホルダーを下端に付けた天秤左紐も梯子状に複数の吊り輪を付けた天秤右紐も壁に付けた壁掛けフックに掛けているので家族の生活の邪魔にならない、身体移動する場合には引っ掛け棒で壁掛けフックから天秤右紐と天秤左紐とをはずして下げ、下げた吊り下げホルダーに寝間着に付けた装着帯を掛けて天秤右紐に付けた各吊り輪に両手でぶら下がりのぼる事で自分の体の重さが自分の体を吊り上げし残存する脚力で寝台の横に位置する車椅子に移動し吊り輪から掴み下がる事で車椅子に座るようにした世界で一番安価な小旋回身体移動機。【選択図】図3
2020110488.tif 000002
【特許請求の範囲】
【請求項１】
木造住宅で上階の床板と構造用合板との重なりを貫通させた穴内に入れる中心パイプの上端に固着させた上端板を床板上に載せその下端部は下階の天井下に出し、他方コンクリート住宅では階上の土間コンクリートの打設前の仮枠上に離型紙パイプを設置しその打設後の土間コンクリートの縦穴内に入れる中心パイプの周りにエポキシパテとエポキシ液とを硬化させて固定しその中心パイプの下端部も下階の天井下に出し、天井裏内の中心パイプの下部分の外周を上下にスライドできるスライドパイプの外周に内周を固着する円板の上面の四方均等位置それぞれに穴の開いた板片を立てて固着し、立てた各板片それぞれの位置から斜め上方の右側の梁に2箇所と左側の梁に2箇所との側面それぞれに開けた横穴に入れる各ボルトの平板頭に固着させる各板片に穴を開け、そして4本の枠式ターンバックルの各両端部双方にねじ止める一端のボルト4本それぞれの端に固着させる下平角板片4枚の穴に円板上の各板片4枚の穴とを重ねた4箇所それぞれにボルトで固定し、他の一端のボルト4本に固着させた各上平角板片4枚の穴それぞれに平板頭に固着させた各板片4枚の穴を重ねた4箇所それぞれにボルトを固定する事で2本の梁の側面4箇所と中心パイプの下部分の円板上の4箇所とを上平角板片を付けたボルトと下平角板片を付けたボルトとを両端部双方にねじ止めた4本の枠式ターンバックルで連結させて中心パイプの下部分の位置を垂直に固定し、さらに天井下に位置する中心パイプの下端部の外周に下旋回ベアリングと上下間隔保持パイプと上旋回ベアリングとを順次に嵌め被せ、その中心パイプの下端部の内径内に固着するパイプナットの内径内にねじ入れる落下防止ボルトの頭部分が下旋回ベアリングを下から受け止め、さらに下旋回ベアリングと上下間隔保持パイプと上旋回ベアリングとの外周に嵌め被せる外輪パイプの上端に固着する円形板の内径に近い部分を上旋回ベアリングに載せる事で外輪パイプの落下を防止し、その円形板の下面と外輪パイプの外周との左右180度の対称位置に右不等辺角管と左不等辺角管との一端それぞれを固着し、固着させて斜め下方向に下げた左右の不等辺角管内それぞれの一端に右外輪溝付きベアリングと左外輪溝付きベアリングとを固定し、それら右外輪溝付きベアリングと左溝付きベアリングとに架け渡す天秤紐が左右の不等辺角管の下辺に当たる箇所それぞれを削除し穴を開け、その右外輪溝付きベアリングから架け下げる天秤右紐に複数の吊り輪を梯子状に取り付けし、左外輪溝付きベアリングから架け下げる天秤左紐の下端には吊り下げホルダーを取り付けし、そして寝台で上半身を起こした被介護者は引っ掛け棒で壁掛けフックから天秤右紐と天秤左紐とを外して天井から垂らし、そして両足を寝台から下げた状態で寝間着に付けた装着帯を吊り下げホルダーに掛け留めし、そして天秤右紐に付けた各吊り輪に両手で掴みのぼるようにし体の重さの力で左下方向に引きぶら下がって天秤左紐に吊り下がる自身を吊り上げ残存する脚力で立ち上がって右回りし寝台の横に置く車椅子の位置で吊り輪から徐々に掴み下がって車椅子に座り、他方法では体重35ｋｇの孫が30ｋｇの体の重さを利用し両手で各吊り輪にぶら下がりながら右回りしお爺さんも15ｋｇの重さの力で左手で吊り輪を左下方向に引きぶら下がりながら10ｋｇの立ち上がる脚力で右回りし車椅子の位置で孫とお爺さんとが吊り輪から徐々に掴み下がって車椅子に座るようにした小旋回身体移動装置。
【発明の詳細な説明】
【技術分野】
【０００１】
寝台から車椅子へ又は便所内で車椅子から便器等に体を移動させる使用分野。
【背景技術】
【０００２】
一般に市販されている身体移動機は重く大きい為に同居する家族の生活には多少邪魔であり、さらに価格的にも高価で家族の負担になる。
【先行技術文献】
【特許文献】
【０００３】
【特許文献１】特願2018−168600
【発明の概要】
【発明が解決しようとする課題】
【０００４】
市販されている身体移動機は重く大きい為に家族の生活には多少邪魔であり、しかも高価で経済的にも家族の負担になり、それらの身体移動機の管理や操作は介護者が一人又は二人で操作しなければならない。
【課題を解決するための手段】
【０００５】
上記目的を達成するために木造住宅で上階の床板と構造用合板との重なりを貫通させた穴内に入れる中心パイプの上端に固着させた上端板を床上に載せ、その中心パイプの下端部を階下の天井から少し下に出し、他方コンクリート住宅では階上の土間コンクリートの打設前の仮枠上に離型紙パイプを設置する事で確保する縦穴内に挿入する中心パイプの上端板を土間コンクリート上に載せ、その中心パイプ回りをエポキシパテとエポキシ液とで土間コンクリートに固定した。
【０００６】
天井裏内に位置する中心パイプの下部分の外周を上下にスライドできるスライドパイプの外周に内周を固着する円板の上面の四方均等それぞれに穴の開いた板片4枚を立てて固着し、その円板の位置から四方斜め上方の右側の梁に2箇所と左側の梁に2箇所との側面それぞれに開けた各横穴に入れる各ボルトの各平板頭に固着させた板片4枚それぞれにも穴を開け、さらに4本の枠式ターンバックルそれぞれの両端部双方にねじ止める一端の各ボルト4本それぞれの端に穴を開けた上平角板片を固着し他の一端の各ボルト4本それぞれの端に穴を開けた下平角板片を固着し、その下平角板片4枚の穴それぞれと円板上の板片4枚の穴とを重ねたそれぞれにボルトで固定し、上平角板片4枚の穴それぞれと平板頭に固着させた板片4枚の穴とを重ねたそれぞれにボルトで固定する事で左右の梁の側面に位置する板片4枚それぞれと中央パイプの下部分の円板上の板片4枚との間を上平角板片を付けたボルトと下平角板片を付けたボルトとを両端部にねじ止めた4本の枠式ターンバックルで連結し、その枠式ターンバックルの4本それぞれを回す事で両端部のボルトを伸縮させて中心パイプの垂直を微調整し下部分の位置を固定した。
【０００７】
階下の天井下で中心パイプの下端部の外周に下旋回ベアリングと上下間隔保持パイプと上旋回ベアリングとの内周を順次に嵌め被せ、その中心パイプの下端部の内径内に固着するパイプナット内にねじ入れる落下防止ボルトの頭部分が下旋回ベアリングを下から受け止め、それら下旋回ベアリングと上下間隔保持パイプと上旋回ベアリングとの外周に嵌め被せる外輪パイプの上端に固着する上端ナットの内径に近い部分を上旋回ベアリングに載せる事で上端ナットを固着した外輪パイプの落下を防止した。
【０００８】
円形板の下面と外輪パイプの外周との左右対称に180度の位置それぞれに右不等辺角管と左不等辺角管との一端を固着させて斜め下方向に向けそれら不等辺角管内の下げた一端それぞれに右外輪溝付きベアリングと左外輪溝付きベアリングとを固定し、それら右外輪溝付きベアリングと左溝付きベアリングとに天秤紐を架け渡す為に左右の各不等辺角管の下辺の一部分それぞれに穴を開け、右外輪溝付きベアリングから架け下げる天秤右紐には複数の吊り輪を梯子状に取り付けし、左外輪溝付きベアリングから架け下げる天秤左紐の下端には吊り下げホルダーを取り付けた。
【０００９】
寝台から上半身を起こした被介護者は引っ掛け棒で壁に付けた壁掛けフックから天秤右紐と天秤左紐とを外して天井から垂らし、そして両足を寝台から下げた状態で寝間着に付けた装着帯を吊り下げホルダーに掛け止め、そこで天秤右紐に付けた梯子状の吊り輪に両手で掴みのぼるように左下方向に引きぶら下がり体の重さの力で天秤左紐に吊り下がる自身を吊り上げし残存する脚力で立って右回りし寝台の横に置く車椅子の位置で吊り輪から徐々に掴み下がる事で車椅子に座った。
【００１０】
体重35ｋｇの孫が吊り輪に30ｋｇの体の重さの力で両手で吊り輪を掴んでぶら下がりながら右方向に移動し、お爺さんも左手で吊り輪を15ｋｇの力で左斜め下方向に引き下げながら10ｋｇの立ち上がる脚力で立ち上がって右回りし車椅子の位置で吊り輪から徐々に孫とお爺さんとが掴み下がる事で車椅子に座るようにした小旋回身体移動装置。
【発明の効果】
【００１１】
小旋回身体移動装置の半分の買い取り部材は天井裏内に位置し、残る半分のリース部材も天井板に近い位置にあり、その天井から下がる天秤紐の2本も壁に掛けた状態なので家族の日常生活にあまり邪魔にならず、さらに腕の力と握力があり脚力も少しは残存する被介護者は小旋回身体移動装置で自分で自分の体の身体移動が可能になり、しかも価格も超安い値段であり介護者の腰痛を減らす一因にもなる。
【図面の簡単な説明】
【００１２】
【図１】天井裏内の中心パイプの梁への固定図。
【図２】梁の上に根太を載せて施工された場合は中心パイプの上端板は床下に位置する固定図
【図３】階上の土間コンクリートへの中心パイプの固定図
【図４】天井下に位置する小旋回身体移動機の断面図
【図５】天井裏内に位置するスライドパイプ回りの斜視図
【図６】被介護者が寝ている状態図
【図７】被介護者が自分で自分を移動介護している状態図
【図８】孫がお爺さんを移動介護している状態図
【図９】寝間着や下着や外出着等の内側に縫い留める装着帯の平面図
【図１０】図4の左不等辺角管内の左外輪溝付きベアリングの断面図でD−D
【発明を実施するための形態】
【００１３】
本発明の一実施形態に係る小旋回身体移動装置の住宅構造への固定方法と介護での使用方法を説明する、上階の床板Yと構造用合板YKとの重なりを貫通させた穴内に中心パイプを入れ、その中心パイプの上端に固着させた上端板TUを床板Yに載せ、その中心パイプTの下端部を下階の天井TEから少し出し、他方コンクリート住宅では上階の土間コンクリートKDの打設前の仮枠上に離型紙パイプを設置する事で土間コンクリートKDに縦穴を確保し、その縦穴内に上端板TUの付いた中心パイプTを挿入して上端板TUお土間コンクリート上に載せ、その中心パイプT回りにエポキシパテEとエポキシ液EEとを硬化させて土間コンクリートKDに固定した。
【００１４】
天井TE裏内に位置する中心パイプTの下部分の外周を上下にスライドできるスライドパイプSの外周に内周を固着させる円板SSの上面の四方均等それぞれに穴を開けた各板片SHを立てて固着し、その各板片SHの位置から四方斜め上方で右側の梁HMに2箇所と左側の梁HHに2箇所との側面それぞれに開けた各横穴それぞれに差し入れるボルトHB4本の平板頭HBHに固着させた板片BH4枚それぞれに穴を開け、さらに枠式ターンバックルWU4本それぞれの両端部双方にねじ止める一端で各ボルトUB4本の端それぞれに固着させた下平角板片UC4枚のそれぞれに開けた各穴に円板SS上の各板片SH4枚の穴それぞれを重ねてボルトBで固定し、他の一端で各上平角板片UU4枚それぞれに開けた各穴に平板頭HBHに固着させた各板片BH4枚の穴とを重ねた穴それぞれをボルトBで固定する事で中心パイプTの下部分と2本の梁の4箇所との間を上平角板片UUを付けたボルトUBと下平角板片UCを付けたボルトUBとを両端部双方にねじ止めた枠式ターンバックルWU4本それぞれで連結する事で中心パイプTの下部分の位置を固定し、その各枠式ターンバックルWUそれぞれを回して両端部双方のボルトUBを伸縮させる事で中心パイプTの垂直を微調整できる。
【００１５】
天井TE下に位置する中心パイプTの下端部の外周に下旋回ベアリングAと上下間隔保持パイプAMと上旋回ベアリングMとの各内径内を順次に嵌め被せ、その中心パイプTの下端部の内径内にパイプナットPNを固着し、そのパイプナットPN内にねじ入れる落下防止ボルトの頭部が下旋回ベアリングを下から受け止め、さらに下旋回ベアリングAと上下間隔保持パイプAMと上旋回ベアリングMとの外周に嵌め被せる外輪パイプMPの上端に固着する円形板MPEの内径に近い部分を上旋回ベアリングMに載せる事で外輪パイプMPの落下を防止した。
【００１６】
円形板MPEの下面と外輪パイプMPの外周との左右対称の180度の位置それぞれに右不等辺角管FMと左不等辺角管FHとの一端を固着させて斜め下方向に下げ、下げたそれら不等辺角管内それぞれに右外輪溝付きベアリングMSBと左外輪溝付きベアリングHSBとを固定し、それら右外輪溝付きベアリングMSBと左外輪溝付きベアリングHSBとに架け渡す天秤紐Gが当たる左右それぞれの不等辺角管の下辺の一部分Vを削除して穴Vを開け、その右外輪溝付きベアリングMSBから架け下げる天秤右紐GMには複数の吊り輪Qを梯子状に取り付けし、左外輪溝付きベアリングHSBから架け下げる天秤左紐GHの下端には吊り下げホルダーKを取り付けた。
【００１７】
寝た状態から上半身を起こした被介護者は引っ掛け棒DBで壁掛けフックDに掛けた天秤右紐GMと天秤左紐GHとを外して天井下に垂らし、さらに両足を寝台から下げた状態で寝間着に付けた装着帯KSを吊り下げホルダーKに掛け留めし、そして天秤右紐GMに付けた梯子状の吊り輪
Qを両手で掴みのぼるように左下方向に引きぶら下がる体の重さの力で天秤左紐GHに吊り下がる自身を吊り上げ残存する脚力で立ち上がり右回りして寝台の横に置く車椅子Zの位置で吊り輪Qから徐々に掴み下がって車椅子Zに座った。
【００１８】
体重35ｋｇの孫が30ｋｇの体の重さの力で吊り輪Qに両手で掴みぶら下がって右回りに移動し、お爺さんも15ｋｇの重さの力で左手で吊り輪Qにぶら下がりながら10ｋｇの脚力で立ち上がって右回りに体を移動させて車椅子Zの位置で吊り輪Qから徐々に孫とお爺さんとが掴み下がって車椅子Zに座るようにした小旋回身体移動装置。
【符号の説明】
【００１９】
Y      上階の床板
YK    構造用合板
HH    左側の梁
HM    右側の梁
YN    根太
KD    上階の土間コンクリート
E      エポキシパテ
EE    エポキシ液
TA    アンカー
TT    吊り木
TS    桟木
TE    階下の天井
C      壁板
AT    梁の上に載せる両端部の平板部分以外の部分を削除加工したアングル材又はチャンネル材
T      中心パイプ
TU    中心パイプの上端に固着させた上端板
PN    中心パイプ内の下端部に固着させたパイプナット
S      スライドパイプ
SS    円板
SH    円板の上面に固着させた4枚に穴の開いた板片
HB    梁の横穴に差し入れるボルト
HBH  梁の横穴に差し入れるボルトの平板頭
BH    梁の横穴に差し入れるボルトの平板頭に固着させた穴の開いた板片
WU    枠式ターンバックル
UB    枠式ターンバックルの両端部にねじ入れたボルト
UU    枠式ターンバックルの両端部にねじ入れたボルトの端に固着させた穴のある上平角板片
UC    枠式ターンバックルの両端部にねじ入れたボルトの端に固着させた穴のある下平角板片
B      ボルト
A      下旋回ベアリング
M      上旋回ベアリング
AM    上下間隔保持パイプ
RB    落下防止ボルト
MM    落下防止ボルトの先端部の外周溝
MMB  落下防止ボルトの先端部の外周溝に先端を押し当てるボルト
MP    外輪パイプ
MPE  外輪パイプの上端に固着する円形板
PEH  隙間隠し補強板片
FM    右不等辺角管
FH    左不等辺角管
MSB  右外輪溝付きベアリング
HSB  左外輪溝付きベアリング
V      不等辺角管の下辺に開けた天秤紐を通す穴
G      天秤紐
GM    天秤右紐
GH    天秤左紐
Z      車椅子
Q      吊り輪
K      吊り下げホルダー
KS    装着帯
D      壁掛けフック
【図１】
2020110488.tif 000003
【図２】
2020110488.tif 000004
【図３】
2020110488.tif 000005
【図４】
2020110488.tif 000006
【図５】
2020110488.tif 000007
【図６】
2020110488.tif 000008
【図７】
2020110488.tif 000009
【図８】
2020110488.tif 000010
【図９】
2020110488.tif 000011
【図１０】
2020110488.tif 000012
【手続補正書】
【提出日】令和1年6月12日(2019.6.12)
【手続補正１】
【補正対象書類名】明細書
【補正対象項目名】全文
【補正方法】変更
【補正の内容】
【発明の詳細な説明】
【技術分野】
【０００１】
寝台から車椅子へ又は便所内で車椅子から便器等に体を移動させる使用分野。
【背景技術】
【０００２】
一般に市販されている身体移動機は重く大きい為に同居する家族の生活には多少邪魔であり、さらに価格的にも高価で家族の負担になる。
【先行技術文献】
【特許文献】
【０００３】
【特許文献１】特願2018−168600
【発明の概要】
【発明が解決しようとする課題】
【０００４】
市販されている身体移動機は重く大きい為に家族の生活には多少邪魔であり、しかも高価で経済的にも家族の負担になり、それらの身体移動機の管理や操作は介護者が一人又は二人で操作しなければならない。
【課題を解決するための手段】
【０００５】
上記目的を達成するために木造住宅で上階の床板と構造用合板との重なりを貫通させた穴内に入れる中心パイプの上端に固着させた上端板を床上に載せ、その中心パイプの下端部を階下の天井から少し下に出し、他方コンクリート住宅では階上の土間コンクリートの打設前の仮枠上に離型紙パイプを設置する事で確保する縦穴内に挿入する中心パイプの上端板を土間コンクリート上に載せ、その中心パイプ回りをエポキシパテとエポキシ液とで土間コンクリートに固定した。
【０００６】
天井裏内に位置する中心パイプの下部分の外周を上下にスライドできるスライドパイプの外周に内周を固着する円板の上面の四方均等それぞれに穴の開いた板片4枚を立てて固着し、その円板の位置から四方斜め上方で右側の梁に2箇所と左側の梁に2箇所との側面それぞれに開けた各横穴に入れる各ボルトの各平板頭に固着させた板片4枚それぞれにも穴を開け、さらに4本の枠式ターンバックルそれぞれの両端部双方にねじ止めるボルトで上側の各ボルト4本それぞれの上端に穴を開けた上平角板片を固着し、枠式ターンバックルの下側の各ボルト4本それぞれの下端に穴を開けた下平角板片を固着し、その下平角板片4枚の穴それぞれと円板上の板片4枚の穴とを重ねたそれぞれをボルトで固定し、上平角板片4枚の穴それぞれと平板頭に固着させた板片4枚の穴とを重ねたそれぞれをボルトで固定する事で左右の梁の側面に位置する板片4枚それぞれと中央パイプの下部分の円板上の板片4枚との間を上平角板片を付けたボルトと下平角板片を付けたボルトとを両端部双方にねじ止めた4本の枠式ターンバックルで連結し、その枠式ターンバックルの4本それぞれを回す事で両端部のボルトを伸縮させて中心パイプの垂直を微調整し下部分の位置を固定した。
【０００７】
階下の天井板下で中心パイプの下端部の外周に上旋回ベアリングと上下間隔保持パイプと下旋回ベアリングとの内周を順次に嵌め被せ、その中心パイプの下端部の内径内に固着するパイプナット内にねじ入れる落下防止ボルトの頭部分が下旋回ベアリングを下から受け止め、それら下旋回ベアリングと上下間隔保持パイプと上旋回ベアリングとの外周に嵌め被せる外輪パイプの上端に固着する上端ワッシャーの内径に近い部分を上旋回ベアリングに載せる事で上端ワッシャーを固着した外輪パイプの落下を防止した。
【０００８】
上端ワッシャーの下面と外輪パイプの外周との左右対称で180度の位置それぞれに右不等辺角管と左不等辺角管との一端を固着させて斜め下方向に向けそれら不等辺角管内の下げた下端部それぞれに右外輪溝付きベアリングと左外輪溝付きベアリングとを固定し、それら右外輪溝付きベアリングと左外輪溝付きベアリングとに天秤紐を架け渡す為に左右の各不等辺角管の下辺の一部分それぞれに穴を開ける事で天秤紐を架け渡し、右外輪溝付きベアリングから架け下げる天秤右紐には複数の吊り輪を梯子状に取り付けし、左外輪溝付きベアリングから架け下げる天秤左紐の下端には吊り下げホルダーを取り付けた。
【０００９】
寝台から上半身を起こした被介護者は引っ掛け棒で壁に付けた壁掛けフックから天秤右紐と天秤左紐とを外して天井から垂らし、そして両足を寝台から下げた状態で寝間着に付けた装着帯を吊り下げホルダーに掛け止め、そこで天秤右紐に付けた梯子状の吊り輪に両手で交互に掴みのぼる事で天秤右紐にぶら下がる体の重さの力30ｋｇを天秤左紐に吊り下がる自身を抱き上げる力30ｋｇに変化させる事で被介護者の体重63ｋｇは引きぶら下がる体の重さの力30ｋｇと抱き上げる力30ｋｇとを足した60ｋｇを引いて体の重さは3ｋｇになり、その体の重さ3ｋｇを腹筋力と脚力とですり足で小旋回に寝台の横に置く車椅子の位置まで移動し、そこで吊り輪から徐々に掴み下がる事で車椅子に座った。
【００１０】
体重35ｋｇの孫が吊り輪に30ｋｇの体の重さの力で両手で吊り輪を掴んでぶら下がる事でお爺さんを30ｋｇの力で抱き上げし、その状態でお爺さんも左手で吊り輪を15ｋｇの力で天秤右紐にぶら下がる事で自身の体を15ｋｇの力で抱き上げて体を30ｋｇ軽くし、それら総計で60ｋｇ軽くなり体重が3ｋｇのお爺さんは孫とすり足で車椅子の位置まで小旋回に移動し、そこで吊り輪から徐々に孫とお爺さんとが掴み下がる事で車椅子に座るようにできる小旋回身体移動装置の介護での使用方法と住宅への取り付け方法。
【発明の効果】
【００１１】
小旋回身体移動装置の半分の買い取り部材は天井裏内に位置し、残る半分のリース部材は天井板に近い位置に取り付ける小旋回身体移動機であり、その小旋回身体移動機から吊り下がる天秤紐の2本も壁に掛けた状態なので家族の日常生活に邪魔にならず、さらに腕の力と握力があり脚力も少しは残存する被介護者は小旋回身体移動装置で自分で自分の体の身体移動が可能になり、しかも価格も超安い値段であり介護者の腰痛を減らす一因にもなる。
【図面の簡単な説明】
【００１２】
【図１】天井裏内の中心パイプの下端部を梁への取り付け図。
【図２】梁の上に根太を載せて施工する場合の中心パイプの上端板を床面に載せた状態図
【図３】階上の土間コンクリートへの中心パイプの取り付け図
【図４】天井下に位置する小旋回身体移動機の断面図
【図５】天井裏内に位置するスライドパイプ回りの斜視図
【図６】被介護者が寝ている状態図
【図７】被介護者が自分で自分を移動介護している状態図
【図８】孫がお爺さんを旋回移動介護している状態図
【図９】寝間着や下着や外出着等の内側に縫い留める装着帯の平面図
【図１０】図4の左不等辺角管内の左外輪溝付きベアリングの断面図でD−D
【発明を実施するための形態】
【００１３】
本発明の一実施形態に係る小旋回身体移動装置の住宅構造への固定方法と介護での使用方法とを説明する、上階の床板Yと構造用合板YKとの重なりを貫通させた穴内に中心パイプを入れ、その中心パイプの上端に固着させた上端板TUを床板Yに載せ、その中心パイプTの下端部を下階の天井TEから少し出し、他方コンクリート住宅では上階の土間コンクリートKDの打設前の仮枠上に離型紙パイプを設置する事で土間コンクリートKDに縦穴を確保し、その縦穴内に上端板TUの付いた中心パイプTを挿入して上端板TUお土間コンクリート上に載せ、その中心パイプT回りにエポキシパテEとエポキシ液EEとを硬化させて土間コンクリートKDに固定した。
【００１４】
天井TE裏内に位置する中心パイプTの下部分の外周を上下にスライドできるスライドパイプSの外周に内周を固着させる円板SSの上面の四方均等それぞれに穴を開けた各板片SHを立てて固着し、その各板片SHの位置から四方斜め上方で右側の梁HMに2箇所と左側の梁HHに2箇所との側面それぞれに開けた各横穴それぞれに差し入れるボルトHB4本の平板頭HBHに固着させた板片BH4枚それぞれに穴を開け、さらに枠式ターンバックルWU4本それぞれの上下両端部双方にねじ止める下端で各ボルトUB4本の下端それぞれに固着させた下平角板片UC4枚のそれぞれに開けた各穴に円板SS上の各板片SH4枚の穴それぞれを重ねてボルトBで固定し、さらに枠式ターンバックルWUの上端に取り付ける各ボルトUB4本それぞれの上端に固着させた各上平角板片UU4枚それぞれに開けた各穴と平板頭HBHに固着させた各板片BH4枚の穴とを重ねた穴それぞれをボルトBで固定する事で中心パイプTの下部分と2本の梁の4箇所との間を上平角板片UUを付けたボルトUBと下平角板片UCを付けたボルトUBとを両端部双方にねじ止めた枠式ターンバックルWU4本それぞれで連結する事で中心パイプTの下部分の位置を固定し、その各枠式ターンバックルWUそれぞれを回して両端部双方のボルトUBを伸縮させる事で中心パイプTの垂直を微調整できる。
【００１５】
天井板TE下に位置する中心パイプTの下端部の外周に上旋回ベアリングAと上下間隔保持パイプAMと下旋回ベアリングMとの各内径内を順次に嵌め被せ、その中心パイプTの下端部の内径内にパイプナットPNを固着し、そのパイプナットPN内にねじ入れる落下防止ボルトの頭部分が下旋回ベアリングを下から受け止め、さらに下旋回ベアリングAと上下間隔保持パイプAMと上旋回ベアリングMとの外周に嵌め被せる外輪パイプMPの上端に固着する上端ワッシャーMPEの内径に近い部分を上旋回ベアリングMに載せる事で上端ワッシャーMPEを固着した外輪パイプMPの落下を防止した。  
【００１６】
上端ワッシャーMPEの下面と外輪パイプMPの外周との左右対称の180度の位置それぞれに右不等辺角管FMと左不等辺角管FHとの一端を固着させて斜め下方向に下げ、下げたそれら不等辺角管内の下端それぞれに右外輪溝付きベアリングMSBと左外輪溝付きベアリングHSBとを固定し、それら右外輪溝付きベアリングMSBと左外輪溝付きベアリングHSBとに天秤紐Gを架け渡す為に天秤紐が当たる左右それぞれの不等辺角管の下辺の一部分を削除して穴Vを開け、それら右外輪溝付きベアリングMSBから架け下げる天秤右紐GMには複数の吊り輪Qを梯子状に取り付けし、左外輪溝付きベアリングHSBから架け下げる天秤左紐GHの下端には吊り下げホルダーKを取り付けた。
【００１７】
寝た状態から上半身を起こした被介護者63ｋｇは引っ掛け棒DBで壁掛けフックDに掛けた天秤右紐GMと天秤左紐GHとを外して天井下に垂らし、さらに両足を寝台から下げた状態で寝間着に付けた装着帯KSを吊り下げホルダーKに掛け留めし、そして天秤右紐GMに付けた梯子状の吊り輪Qに両手で交互に掴みのぼるように吊り輪Qに引きぶら下がる上半身の重さの力30ｋｇは天秤左紐GHに吊り下がる自身を抱き上げる力30ｋｇに変化し、それら抱き上げる力30ｋｇと上半身でぶら下がる重さの力30ｋｇとを足して60ｋｇ軽くなり、残存する3ｋｇの体の重さを脚力で立ち上がりすり足で寝台の横に置く車椅子Zの位置まで小旋回に移動し、そこで吊り輪Qから徐々に掴み下がって車椅子Zに座るようにした。
【００１８】
体重35ｋｇの孫が30ｋｇの体の重さの力で吊り輪Qを両手で掴みぶら下がる力はお爺さんを抱き上げる力30ｋｇに変化し、さらにお爺さんが左手で吊り輪Qにぶら下がる上半身の重さの力15ｋｇも自身を抱上げる力15ｋｇに変化する事で30ｋｇ体は軽くなり、その軽くなった30ｋｇと孫の抱き上げる力30ｋｇとを合せた60ｋｇお爺さんは体が軽くなって立ち上がり、そこですり足で車椅子Zの位置まで孫とお爺さんとは小旋回に移動し、そこで吊り輪Qから徐々に孫とお爺さんとが掴み下がって車椅子Zに座るようにした小旋回身体移動装置の介護での使用方法と住宅への取り付け方法。
【符号の説明】
【００１９】
Y      上階の床板
YK    構造用合板
HH    左側の梁
HM    右側の梁
YN    根太
KD    上階の土間コンクリート
E      エポキシパテ
EE    エポキシ液
TA    アンカー
TT    吊り木
TS    桟木
TE    階下の天井
C      壁板
AT    梁の上に載せる両端部の平板部分以外の部分を削除加工したアングル材又はチャンネル材
T      中心パイプ
TU    中心パイプの上端に固着させた上端板
PN    中心パイプ内の下端部に固着させたパイプナット
S      スライドパイプ
SS    円板
SH    円板の上面に固着させた4枚に穴の開いた板片
HB    梁の横穴に差し入れるボルト
HBH  梁の横穴に差し入れるボルトの平板頭
BH    梁の横穴に差し入れるボルトの平板頭に固着させた穴の開いた板片
WU    枠式ターンバックル
UB    枠式ターンバックルの両端部にねじ入れたボルト
UU    枠式ターンバックルの両端部にねじ入れたボルトの端に固着させた穴のある上平角板片
UC    枠式ターンバックルの両端部にねじ入れたボルトの端に固着させた穴のある下平角板片
B      ボルト
A      下旋回ベアリング
M      上旋回ベアリング
AM    上下間隔保持パイプ
RB    落下防止ボルト
MM    落下防止ボルトの先端部の外周溝
MMB  落下防止ボルトの先端部の外周溝に先端を押し当てるボルト
MP    外輪パイプ
MPE  上端ワッシャー
PEH  隙間隠し補強板片
FM    右不等辺角管
FH    左不等辺角管
MSB  右外輪溝付きベアリング
HSB  左外輪溝付きベアリング
V      不等辺角管の下辺に開けた天秤紐を通す穴
G      天秤紐
GM    天秤右紐
GH    天秤左紐
Z      車椅子
Q      吊り輪
K      吊り下げホルダー
KS    装着帯
D      壁掛けフック
【手続補正２】
【補正対象書類名】特許請求の範囲
【補正対象項目名】全文
【補正方法】変更
【補正の内容】
【特許請求の範囲】
【請求項１】
木造住宅で上階の床板と構造用合板との重なりを貫通させた穴内に入れる中心パイプの上端に固着させた上端板は床板上に載せ中心パイプの下端部は下階の天井板下に出し、他方コンクリート住宅では階上の土間コンクリートの打設前の仮枠上に離型紙パイプを設置し、その打設後の土間コンクリートの縦穴内に入れる中心パイプの周りにエポキシパテとエポキシ液とを硬化させて固定しその中心パイプの下端部も下階の天井板下に出し、他方木造住宅で天井裏内の中心パイプの下部分の外周を上下にスライドできるスライドパイプの外周に内周を固着する円板の上面の四方均等位置それぞれに穴の開いた板片を立てて固着し、固着した各板片それぞれの位置から四方斜め上方で右側の梁に2箇所と左側の梁に2箇所との側面それぞれに開けた横穴に入れる各ボルトの平板頭に固着させる各板片それぞれに穴を開け、そして4本の枠式ターンバックルそれぞれの上下両端部双方にねじ止める各ボルトで下側のボルト4本それぞれの下端に固着させる下平角板片4枚の穴に円板上の各板片4枚の穴を重ねてボルトで固定し、枠式ターンバックルの上側のボルト4本それぞれの上端に固着させた各上平角板片4枚の穴それぞれに平板頭に固着させた各板片4枚の穴を重ねたそれぞれにボルトを固定する事で左右の梁の側面4箇所と中心パイプの下部分の円板上の板片の4枚とを上平角板片を付けたボルトと下平角板片を付けたボルトとを両端部双方にねじ止めた4本の枠式ターンバックルで連結させて中心パイプの下部分の位置を垂直に固定し、さらに天井板下に位置する中心パイプの下端部の外周に上旋回ベアリングと上下間隔保持パイプと下旋回ベアリングとを順次に嵌め被せ、その中心パイプの下端部の内径内に固着するパイプナットにねじ入れる落下防止ボルトの頭部分が下旋回ベアリングを下から受け止め、さらに下旋回ベアリングと上下間隔保持パイプと上旋回ベアリングとの外周に嵌め被せる外輪パイプの上端に固着する上端ワッシャーの内径に近い部分を上旋回ベアリングに載せる事で外輪パイプの落下を防止し、その上端ワッシャーの下面と外輪パイプの外周との左右180度の対称位置に右不等辺角管と左不等辺角管との一端それぞれを固着させて斜め下方向に下げ、下げた左右の不等辺角管内それぞれの下端部に右外輪溝付きベアリングと左外輪溝付きベアリングとを固定し、それら右外輪溝付きベアリングと左溝付きベアリングとに架け渡す天秤紐が左右の不等辺角管の下辺に当たる箇所それぞれに穴を開けて天秤紐を架け渡し、その右外輪溝付きベアリングから架け下げる天秤右紐に複数の吊り輪を梯子状に取り付けし、左外輪溝付きベアリングから架け下げる天秤左紐の下端には吊り下げホルダーを取り付けし、そして寝台で上半身を起こした被介護者は引っ掛け棒で壁掛けフックから天秤右紐と天秤左紐とを外して天井から垂らし、そして両足を寝台から下げた状態で寝間着に付けた装着帯を吊り下げホルダーに掛け留めし、そして天秤右紐に付けた各吊り輪に両手で交互に掴みのぼる時の上半身でぶら下がる重さの力30ｋｇが天秤左紐に吊り下がる自身を抱上げる力30ｋｇに変化し、それら抱き上げる力30ｋｇとぶら下がる上半身の重さの力30ｋｇとを合せた60ｋｇ体は軽くなって立ち上がり、残る体重3ｋｇの体をすり足で寝台���横に置く車椅子の位置まで小旋回に移動し、そこで吊り輪から徐々に掴み下がって車椅子に座り、他方法では体重35ｋｇの孫が30ｋｇの体の重さで各吊り輪にぶら下がる事でお爺さんを30ｋｇの力で抱き上げし、その状態でお爺さんも15ｋｇの力で吊り輪にぶら下がる力を自身を15ｋｇの力で抱き上げる力に変化させて体が30ｋｇ軽くなるその力と孫の抱き上げる力30ｋｇとを合わせる事で60ｋｇも体は軽くなってお爺さんは立ち上がり、そこで孫とお爺さんとがすり足で寝台の横の車椅子まで小旋回に移動し、そこで吊り輪から徐々に掴み下がって車椅子に座るようにした小旋回身体移動装置の介護での使用方法と住宅への取り付け方法。